(57)【要約】      （修正有）【課題】絵や写真等をフォトフレームの背面側から簡単に装填、および取り外しができ、フォトフレームを立位状態に保持するための背面の支え部材が不要である立位姿勢木製フォトフレームを提供する。【解決手段】色調、木味等を活かした木材を使用し、はがきサイズの写真又は絵画からＡ４サイズの写真又は絵画までを収納可能な額縁の厚みに対して高さ方向に４〜１０倍程度の大きさであり、外枠の木部形状に３度〜１５度の斜角度を付けていることを特徴とする。【選択図】図２
0003153214.tif 000002
【実用新案登録請求の範囲】
【請求項１】
色調、木味等を活かした木材を使用し、はがきサイズの写真又は絵画からＡ４サイズの写真又は絵画までを収納可能な額縁の厚みに対して高さ方向に４〜１０倍程度の大きさであり、外枠の木部形状に３度〜１５度の斜角度を付けていることを特徴とする立位姿勢木製フォトフレーム。
【請求項２】
色調、木味等を活かした木材はメープル、ウェンジ、パドゥーク、ウォールナット、チーク、オーク、チェリー、から選ばれたものを使用することを特徴とする請求項１に記載の立位姿勢木製フォトフレーム。
【請求項３】
木部内に収納する写真及び絵画を簡易的に取り外しするために、外枠の木部内に収納する写真及び絵画を、透明板と弾力性ブロックの押さえ部との間に挟んで固定していることを特徴とする請求項１に記載の立位姿勢木製フォトフレーム。
【考案の詳細な説明】
【技術分野】
【０００１】
本考案は卓上あるいは机上載置形のフォトフレームに関し、写真，ポストカード，絵画等を背面側から装填させ、卓上で立位状態を保持するための背部の支え部材を不要とし、色調、木味等を活かした木材の卓上フォトフレームに関するものである。
【背景技術】
【０００２】
写真，ポストカード等を装填するフォトフレームは一般に壁掛けタイプと机や置台の上に載せる小型の卓上タイプとに分けられるが、卓上タイプのフォトフレームではいずれも全体が若干後方へ傾斜して卓上に載置されるように背面板に支え部材が取り付けられている。従来の代表的な卓上形額縁では、矩形の外枠背面側にＬ形の段差部が形成され、この段差部に係合するようにガラス板やアクリル板等の矩形の透明板が装着され、この透明板の裏側に絵，写真等の観賞対象物が単独に、あるいは台紙等と共に密着して装填され、最後に背板を外枠の段差部に収容して外枠の背面に設けた爪状のフックで背板を固定するようにしている（特許文献１参照）。
【０００３】
フックを回転させて背板を取り外すことにより絵，写真等の観賞対象物の入れ替えが可能であるが、卓上式の場合この背板の上部付近に折りたたみ式の支え部材が枢着され、外枠の正面が若干後方へ傾斜するようにこの支え部材で外枠が仰位姿勢に支持される。また額縁本体部の上側部または横側部にスリットを設け、ここから絵や写真などを差し込むようにしたものも知られている（特許文献２参照）。
【０００４】
矩形状の卓上額縁で、枠体の内寸法に収まる枠体を先方から写真、絵画を挿入する方法があるが（特許文献３参照）、この額縁では、写真、絵画の視野に入る範囲が狭くなる。また、絵画、写真の固定が十分でない状態であるため、転倒した場合に容易に外れてしまう恐れがある。
【先行技術文献】
【特許文献】
【０００５】
【特許文献１】特開２００８−２０６８７４公報
【特許文献２】特開２００８−１８８３７０公報
【特許文献３】実開平７−９１７４公報
【考案の概要】
【考案が解決しようとする課題】
【０００６】
前記支え部材は固定式となっている場合もあり、また外枠への背板の取り付けは上述と異なる形態のものもあるが、いずれにしても従来の卓上式額縁は、外枠に対して着脱可能な背板と外枠を支持する支え部材を有し、絵や写真等対象物を裏側から装着するので、対象物の入替時に背板の脱着およびその固定が不便である。また前記支え部材は後方へ突出するので卓上に広いスペースを必要とする。折りたたみ（開閉）式の支え部材の場合は強度が弱く、支え部材の枢着部を破損してしまった場合は額縁の使用ができなくなる。さらに支え部材で額縁を支持する関係から、この種の額縁は上下の向きが決まってしまい、装填する対象物に応じて横向きにして卓上に載せるには安定さの点で問題があった。
【０００７】
また前述の本体側部のスリットから絵等を差し込む構造のものは、絵、写真を前後方向に密着固定する手段がなく、差し入れた絵や写真等が内部で不安定にガタ付くという不具合があった。緊密に差し込むようにすると、差し入れの際に絵や写真を損傷させたり、抜き差しができなくなる等の問題があった。
【０００８】
本考案は絵，写真等の対象物を背面側から簡単に装填や取り外しができ、また立位姿勢に保持するための支え部材を不要とした卓上式フォトフレームを提供することにある。
【課題を解決するための手段】
【０００９】
本考案によるフォトフレームは、背面部中央に凹形部を有し枠外側部が該側面部に対して鋭角に傾斜した矩形台板と、前記凹形部に収容される透明板と、前記矩形台板に嵌合して透明板を該矩形に押し付ける伸縮性に優れた弾性体であって、例えばウレタンブロック、発泡スチロールブロックなどを有している。
【００１０】
内部に装填された絵，写真等の対象物を密着させて収納可能となる。前記矩形の枠外側部は、下面にして卓上または机上に置いたとき矩形台板が仰位姿勢に保持される厚み幅を有している。
【００１１】
また、色調、木味等を活かした木材を使用し、白色系ではメープル、アッシュ、黒色系はウェンジ、コクタン、赤色系はパドゥーク、バイオレットウッド、茶色系はウォールナット、ソノケリン、黄褐色系はチーク、オーク、タモ、赤茶色系のチェリー、ココボロ等多種類存在するが、本考案では白色系のメープル、黒色系のウェンジ、赤色系のパドゥーク、茶色系のウォールナット、黄褐色系のチーク、オーク、赤茶色系のチェリーから選ばれた木材を使用したフォトフレーム。
【考案の効果】
【００１２】
以上説明したように本考案によれば、絵や写真等をフォトフレームの背面側から簡単に装填、および取り外しができ、また装填した絵等の固定保持も確実になし得ることができた。
【００１３】
またフォトフレームを立位状態に保持するための背面の支え部材が不要であり、堅牢でコンパクトな卓上フォトフレームが得られたと同時に、支え部材がないことから卓上に余分なスペースを必要とせず、また上下逆向きに載置でき、横向きにしても卓上に置くことができる等多くの利点が得られた。
【図面の簡単な説明】
【００１４】
【図１】フォトフレーム正面図
【図２】フォトフレーム側面断層構造
【図３】フォトフレーム載置時側面図
【図４】横置き正面透視図
【図５】縦置き正面透視図
【図６】横置き背面透視図
【考案を実施するための形態】
【００１５】
絵や写真等をフォトフレームの背面側から簡単に装填、および取り外しができ、また装填した絵等の固定保持も確実になし得ることができき、フォトフレームを立位状態に保持するための背面の支え部材が不要であること、コンパクトな卓上フォトフレームであると同時に、支え部材がないことから卓上に余分なスペースを必要とせず、また上下逆向きに載置でき、横向きにしても卓上に置くことができる立位姿勢木製フォトフレームを提供する。
【実施例１】
【００１６】
図１は色調、木味等を活かしたメープル材を横１８０ｍｍと１３２ｍｍ、縦２０ｍｍ、厚み３５ｍｍの矩形に形成された木材１を四方枠組みし、枠内に風景写真を保護する横１４８ｍｍ、縦１００ｍｍ、厚み３ｍｍのガラス板２を装填した正面図である。
【００１７】
図２は図１の側面断層構造を示すものである。木部１矩形枠組み内には背面側から風景写真を有効に観賞できる縦，横の幅寸法を有している矩形状の、適当な深さの凹形が形成され、内部には枠部内寸法より適当な公差で前記ガラス板２、写真３、さらにガラス板を該矩形に押し付ける伸縮性に優れた横１５３ｍｍ、縦１０５ｍｍ、厚み２０ｍｍのウレタンブロックを枠部内側に突っ張る程度の寸法で装填させた。
【００１８】
木部１の枠組みによる矩形台板の外面四方は正面に対して鋭角θ１＝５度で傾斜した面を有し、背面部は正面部と平行に形成されている。したがってこの側面部の傾斜された任意の面を机等置台の上面に置いたとき正面部は図３のように後方へθ２＝８５度の角度で傾斜し、正面全体が仰角立位姿勢となった。この状態でフォトフレームが倒れることなく置台の上に保持されるように枠部の厚み幅と正面部の高さ（枠部の縦辺の長さ）の寸法関係が定められる。
【実施例２】
【００１９】
実施例１と同様に製作したフォトフレームの矩形台板の４つの側部のうち少なくとも１つの側部が正面部に対して鋭角＝５度に傾斜しておれば、その側部を下面にして置台上に仰角立位姿勢で載せることができるが、図４、図５の実施例のように４つの側部すべてを同じように台板正面部に対して鋭角の傾斜面となるように形成することにより、任意の側部を下面にして置台に載置することができ、上下の区別のない、あるいは横倒しの立位姿勢を取り得るフォトフレームを提供することができた。
【００２０】
台板の正面外形も四角形に限定されず、横長あるいは縦長の長方形形状とすることもできた。これらにより、支え部材の後方へ突出ることでの卓上に広いスペースを必要となどの問題や、折りたたみ（開閉）式の支え部材の場合は強度が弱く、支え部材の枢着部を破損してしまった場合は額縁の使用ができなくなるなどの問題、さらに支え部材で額縁を支持する関係から、この種の額縁は上下の向きが決まってしまい、装填する対象物に応じて横向きにして卓上に載せるには不安定などの問題が解決された。
【実施例３】
【００２１】
実施例１の白色系のメープル材の代わりに赤茶色系のチェリー材を使用し、人物写真を装填した。実施例1と同様に意匠性に優れた結果が得られた。
【実施例４】
【００２２】
図５は図２において、ガラス板や写真等の対象物を該矩形内に押し付ける伸縮性に優れたウレタンブロックを枠部内側に突っ張る程度の寸法で装填させていることで、対象物の入替時に背板の脱着およびその固定が不便などの問題や、差し入れた絵や写真等が内部で不安定にガタ付くという不具合、緊密に差し込むようにすると、差し入れの際に写真を損傷させたり、抜き差しができなくなる等の問題を解決することができた。
【符号の説明】
【００２３】
１  矩形に形成された木材
２  ガラス板
３  絵や写真等の対象物
４  伸縮性に優れたウレタンブロック
θ１  枠部外面の傾斜角度
θ２  フォトフレーム載置時の傾斜角度
【図１】
0003153214.tif 000003
【図２】
0003153214.tif 000004
【図３】
0003153214.tif 000005
【図４】
0003153214.tif 000006
【図５】
0003153214.tif 000007
【図６】
0003153214.tif 000008